(57)【要約】【課題】キーボードカバーの浮きやずれを抑制しやすい電子機器を得る。【解決手段】実施形態にかかる電子機器にあっては、表面に、当該表面に対する平面視で矩形状の凹部が設けられた筐体と、凹部内に収容された平面視で矩形状のキーボードと、可撓性を有しキーボードの表面側を全体的に覆ったキーボードカバーと、キーボードおよびキーボードカバーの外周縁部を覆った状態で凹部の内周縁部に沿って配置され、筐体に取り付けられた複数の帯状部材と、を備え、少なくとも一つの帯状部材の長手方向の端部に、他の帯状部材の長手方向の端部の裏側に配置された係合部が設けられた。【選択図】図２
2012053611.tif 000002
【特許請求の範囲】
【請求項１】
表面に、当該表面に対する平面視で矩形状の凹部が設けられた筐体と、
前記凹部内に収容された前記平面視で矩形状のキーボードと、
可撓性を有し前記キーボードの表面側を全体的に覆ったキーボードカバーと、
前記キーボードおよび前記キーボードカバーの外周縁部を覆った状態で前記凹部の内周縁部に沿って配置され、前記筐体に取り付けられた複数の帯状部材と、
を備え、
少なくとも一つの前記帯状部材の長手方向の端部に、他の前記帯状部材の長手方向の端部の裏側に配置された係合部が設けられたことを特徴とする電子機器。
【請求項２】
前記キーボードおよび前記キーボードカバーは、前記平面視で、前記筐体の幅方向に沿う二つの外周縁部と、前記筐体の奥行方向に沿う二つの外周縁部とを有した矩形状に形成され、
前記キーボードおよび前記キーボードカバーの前記奥行方向手前側の外周縁部を覆った前記帯状部材の長手方向両端部に、前記係合部が設けられたことを特徴とする請求項１に記載の電子機器。
【請求項３】
前記キーボードおよび前記キーボードカバーの前記奥行方向奥側の外周縁部を覆った前記帯状部材の長手方向両端部が、前記キーボードおよび前記キーボードカバーの幅方向両側の外周縁部のそれぞれを覆った前記帯状部材の長手方向端部に設けられた前記係合部を、覆ったことを特徴とする請求項２に記載の電子機器。
【請求項４】
前記帯状部材は、前記筐体に係止された複数の爪を有し、
前記帯状部材の長手方向に沿った少なくとも一部の区間では、前記帯状部材の幅方向の一方側に設けられた前記爪と他方側に設けられた前記爪とが、前記帯状部材の長手方向に沿って交互に配置されたことを特徴とする請求項１〜３のうちいずれか一つに記載の電子機器。
【請求項５】
前記キーボードは、前記筐体の表面の法線方向に向けて突出して前記キーボードの外周縁部に沿って延びた壁部を有し、
前記帯状部材が、前記筐体の前記凹部の内周縁部と前記壁部とに支持されたことを特徴とする請求項１〜４のうちいずれか一つに記載の電子機器。
【請求項６】
前記壁部が、前記キーボードカバーの外周縁部を取り囲んだことを特徴とする請求項５に記載の電子機器。
【請求項７】
前記壁部が、前記キーボードの内側に向けて陥入するかあるいは外側に向けて膨出する凹凸形状を有したことを特徴とする請求項５または６に記載の電子機器。
【請求項８】
前記帯状部材の裏面が、前記キーボードカバーの外周縁部の表面に接触したことを特徴とする請求項５〜７のうちいずれか一つに記載の電子機器。
【請求項９】
前記キーボードが、当該キーボードの外周縁部に沿って配置され前記キーボードカバーを係止する複数の第一の係止部を有し、
前記帯状部材が、前記複数の第一の係止部の間となる位置で前記キーボードカバーを係止する第二の係止部を有したことを特徴とする請求項１〜８のうちいずれか一つに記載の電子機器。
【請求項１０】
表面に開口部が設けられた筐体と、
前記開口部内に位置され、複数のキーを有する入力受付部と、
可撓性を有し、前記入力受付部を覆ったカバーと、
前記カバーの外周縁部を覆い、前記開口部の内周縁部に沿って前記筐体に取り付けられた固定部材と、
を備えたことを特徴とする電子機器。
【発明の詳細な説明】
【技術分野】
【０００１】
本発明の実施形態は、電子機器に関する。
【背景技術】
【０００２】
従来、筐体に据え付けられたキーボードにキーボードカバーが被せられた電子機器が知られている。
【先行技術文献】
【特許文献】
【０００３】
【特許文献１】特開平１１−１９４８７５号公報
【発明の概要】
【発明が解決しようとする課題】
【０００４】
この種の電子機器では、キーボードカバーの浮きやずれ等を抑制することが望まれている。
【０００５】
そこで、本発明の実施形態は、キーボードカバーの浮きやずれ等を抑制しやすい電子機器を得ることを目的の一つとする。
【課題を解決するための手段】
【０００６】
本発明の実施形態にかかる電子機器にあっては、表面に当該表面に対する平面視で矩形状の凹部が設けられた筐体と、前記凹部内に収容された前記平面視で矩形状のキーボードと、可撓性を有し前記キーボードの表面側を全体的に覆ったキーボードカバーと、前記キーボードおよび前記キーボードカバーの外周縁部を覆った状態で前記凹部の内周縁部に沿って配置され、前記筐体に取り付けられた複数の帯状部材と、を備え、少なくとも一つの前記帯状部材の長手方向の端部に、他の前記帯状部材の長手方向の端部の裏側に配置された係合部が設けられたことを特徴の一つとする。
【図面の簡単な説明】
【０００７】
【図１】図１は、一実施形態にかかる電子機器の斜視図である。
【図２】図２は、一実施形態にかかる電子機器の分解斜視図である。
【図３】図３は、一実施形態にかかる電子機器の第一の本体部のキーボードおよびキーボードカバーを外した状態での平面図である。
【図４】図４は、一実施形態にかかる電子機器に含まれるキーボードの平面図である。
【図５】図５は、一実施形態にかかる電子機器に含まれるキーボードの斜視図である。
【図６】図６は、一実施形態にかかる電子機器に含まれるキーボードにキーボードカバーが装着された状態を示す平面図である。
【図７】図７は、一実施形態にかかる電子機器に含まれるキーボードにキーボードカバーが装着された状態を示す斜視図である。
【図８】図８は、一実施形態にかかる電子機器で使用されるキーボードカバーの裏面側の斜視図である。
【図９】図９は、一実施形態にかかる電子機器に含まれる第一の帯状部材の裏面側から見た斜視図である。
【図１０】図１０は、一実施形態にかかる電子機器に含まれる第二の帯状部材の裏面側から見た斜視図である。
【図１１】図１１は、一実施形態にかかる電子機器に含まれる第三の帯状部材の裏面側から見た斜視図である。
【図１２】図１２は、一実施形態にかかる電子機器に含まれる第四の帯状部材の裏面側から見た斜視図である。
【図１３】図１３は、一実施形態にかかる電子機器に含まれる第一の帯状部材と第二の帯状部材とが相互に係合する部分を裏面側から見た斜視図である。
【図１４】図１４は、一実施形態にかかる電子機器に含まれる第一の帯状部材と第三の帯状部材とが相互に係合する部分を裏面側から見た斜視図である。
【図１５】図１５は、一実施形態にかかる電子機器に含まれる第二の帯状部材と第四の帯状部材とが相互に係合する部分を裏面側から見た斜視図である。
【図１６】図１６は、一実施形態にかかる電子機器の第一の本体部（表面側から見た図）と第三の帯状部材（裏面側から見た図）とを示す分解平面図である。
【図１７】図１７は、一実施形態にかかる電子機器の第一の本体部の斜視図であって、第一の帯状部材を取り外した状態を示す図である。
【図１８】図１８は、一実施形態にかかる電子機器に含まれる第一の帯状部材の一部を裏面側から見た斜視図である。
【図１９】図１９は、一実施形態にかかる電子機器に含まれる第一の帯状部材の別の一部を裏面側から見た斜視図である。
【発明を実施するための形態】
【０００８】
以下、図面を参照して、本発明の一実施形態について詳細に説明する。なお、各図では、説明の便宜上、方向が規定されている。Ｘ方向およびＹ方向は、第一の本体部２の表面２ｂ（図１参照）に略沿う方向であり、Ｘ方向は第一の本体部２の幅方向、Ｙ方向は第一の本体部２の奥行き方向である。また、Ｚ方向は、第一の本体部２の表面２ｂに垂直な方向（第一の本体部２の厚さ方向）である。Ｘ方向、Ｙ方向、およびＺ方向は、互いに直交している。また、特に断らない限り、Ｚ方向に沿って上下を定義する。すなわち、第一の本体部２の表面２ｂから離間する方向を上とする。
【０００９】
図１，２に示すように、本実施形態にかかる電子機器１は、所謂ノート型のパーソナルコンピュータとして構成されており、矩形状の扁平な第一の本体部２と、矩形状の扁平な第二の本体部３と、を備えている。これら第一の本体部２および第二の本体部３は、ヒンジ部４を介して、回動軸Ａｘ回りに図１に示す展開状態と図示しない折り畳み状態との間で相対回動可能に、接続されている。
【００１０】
第一の本体部２には、筐体２ａの外面としての表面２ｂ側に露出する状態で、入力受付部としてのキーボード５や、ポインティングデバイス７、クリックボタン８等が設けられている。一方、第二の本体部３には、筐体３ａの外面としての表面３ｂに設けられた開口部３ｃから露出する状態で、電子部品としてのＬＣＤ（Liquid Crystal Display）等の表示装置としてのディスプレイ６が設けられている。図１に示すような展開状態では、キーボード５や、ディスプレイ６、ポインティングデバイス７、クリックボタン８等が露出して、ユーザが使用可能な状態となる。一方、折り畳み状態（図示せず）では、表面２ｂ，３ｂ同士が相互に近接した状態で対向して、キーボード５や、ディスプレイ６、ポインティングデバイス７、クリックボタン８等が、筐体２ａ，３ａによって隠された状態となる。なお、本実施形態では、キーボード５は、全体的にキーボードカバー９で覆われている。
【００１１】
また、第一の本体部２の筐体２ａの内部には、ＣＰＵ（Central Processing Unit）や、ＲＯＭ（Read Only Memory）、ＲＡＭ（Random Access Memory）、その他の電子部品が実装された回路基板や、ハードディスク、冷却ファン等の部品（いずれも図示せず）が収容されている。
【００１２】
図２，３に示すように、筐体２ａの表面２ｂには、当該表面２ｂに対する平面視（表面２ｂをその法線方向（Ｚ方向）の逆方向で見た視線）で矩形状の凹部２ｄが設けられている。凹部２ｄは、表面２ｂを有した天壁２ｃと平行で矩形状かつ平板状の底壁２ｅと、底壁２ｅの周囲に立設された周壁２ｆと、によって形成されている。また、凹部２ｄの開口部２ｇの内周側には、表面２ｂより凹部２ｄの奥側となる位置で開口部２ｇに沿って細長く延びた段差部２ｈが設けられている。この凹部２ｄには、キーボード５が収容される。よって、凹部２ｄは、キーボード収容部に相当する。
【００１３】
凹部２ｄ内には、表面５ａ（図４参照）にキーボードカバー９が被せられた状態で（図６，７等参照）、キーボード５が配置される。凹部２ｄ内にキーボード５が配置された状態では、キーボードカバー９の表面９ａの高さと、筐体２ａの表面２ｂの高さとが、ほぼ同じになる。よって、凹部２ｄ内にキーボード５が配置された状態（かつ、帯状部材１０が取り外された状態）では、キーボード５の周囲には、矩形環状の凹溝部２ｉ（図２参照）が形成される。そして、この凹溝部２ｉを塞ぐように、固定部材としての帯状部材１０が、第一の本体部２に取り付けられる。本実施形態では、矩形状のキーボード５およびキーボードカバー９の外周縁部５ｂ，９ｂおよび凹部２ｄの開口部２ｇの内周縁部２ｊに沿って、四つの帯状部材１０（１０Ａ〜１０Ｄ）が設けられている。本実施形態では、図１，２に示すように、帯状部材１０として、第一の本体部２の幅方向（Ｘ方向）に沿って延びて矩形環状の凹溝部２ｉの角部２ｋを覆わない帯板状の第一および第四の帯状部材１０Ａ，１０Ｄと、第一の本体部２の奥行き方向（Ｙ方向）に沿って延びて凹溝部２ｉの角部２ｋを覆う部分を含んでＵ字状に形成された第二および第三の帯状部材１０Ｂ，１０Ｃとが、設けられている。
【００１４】
また、図２に示すように、これら四つの帯状部材１０については、第一の本体部２に取り付ける順序が定められている。本実施形態では、まずは、奥行き方向手前側の第一の帯状部材１０Ａが取り付けられ、次に、幅方向両側の第二および第三の帯状部材１０Ｂ，１０Ｃが取り付けられ、最後に、奥行き方向奥側の第四の帯状部材１０Ｄが取り付けられる。また、取り外す順序は、この逆となる。すなわち、まずは、第四の帯状部材１０Ｄが取り外され、次に、第二および第三の帯状部材１０Ｂ，１０Ｃが取り外され、最後に、第一の帯状部材１０Ａが取り外される。このような取り付けおよび取り外しの順序は、複数の帯状部材１０の構造によって定まる。本実施形態では、具体例は後述するが、第一の帯状部材１０Ａの長手方向両側の端部１０ａが、部分的に第二および第三の帯状部材１０Ｂ，１０Ｃの奥行き方向手前側の端部１０ａによって覆われ、さらに、第二および第三の帯状部材１０Ｂ，１０Ｃの奥行き方向奥側の端部１０ａが、部分的に第四の帯状部材１０Ｄの長手方向両側の端部１０ａによって覆われている。すなわち、本実施形態では、第四の帯状部材１０Ｄが、直接または間接的に、他の第一〜第三の帯状部材１０Ａ〜１０Ｃを覆っており、四つの帯状部材１０の中では、第一の帯状部材１０Ａが最も外れにくく、次いで、第二または第三の帯状部材１０Ｂ，１０Ｃが外れにくく、第四の帯状部材１０Ｄが最も外れやすい。このような構成により、第一〜第三の帯状部材１０Ａ〜１０Ｃが外れ、さらにはキーボードカバー９の外周縁部９ｂが露出して、キーボードカバー９がめくれたりずれたりしやすい状態となるのが、抑制されている。ユーザによる電子機器１の使用状態では、ユーザの手指は、奥行き方向手前側から奥行き方向奥側へ向けて延びる。よって、本実施形態のように、複数の帯状部材１０の中で奥行き方向手前側にある第一の帯状部材１０Ａが最も外れにくく、奥行き方向奥側にある第四の帯状部材１０Ｄが最も外れやすい上記構成を採用することで、ユーザの作用（不本意あるいは故意による外力の印加等）によって帯状部材１０が外れるのを抑制しやすくなり、ひいては、キーボードカバー９がめくれたりずれたりするのを抑制しやすくなる。なお、複数の帯状部材１０が、ユーザによる通常使用中には外れにくいように構成されるのはもちろんである。
【００１５】
また、図３に示すように、凹部２ｄの底壁２ｅの周縁部で、凹溝部２ｉ（図２参照）の底部となる領域には、複数の開口部２ｍが設けられている。この開口部２ｍには、帯状部材１０に設けられた爪１０ｂ（図９〜１２等参照）が差し込まれる。図９〜１２等に示すように、帯状部材１０の裏面１０ｃには、複数の突起１０ｄが設けられ、各突起１０ｄの先端部に、爪１０ｂが設けられている。爪１０ｂと開口部２ｍの周縁部とが係合することで、帯状部材１０は第一の本体部２（本実施形態ではその筐体２ａ）に固定される。
【００１６】
図４，５に示すように、キーボード５は、平面視（Ｚ方向からの視線）では矩形状であり、かつＺ方向に薄い扁平な外観を呈している。キーボード５は、図５に示すように、筐体としてのベース５ｃと、ベース５ｃ上に配置される矩形状かつ平板状のインナプレート５ｄと、突没可能な複数のキー５ｅと、を有している。ベース５ｃは、矩形状かつ平板状の底壁５ｆと、底壁５ｆの外周縁で上方に向けて略一定の高さで突出した周壁５ｇと、キーボードカバー９を係止する係止爪５ｈと、を有している。周壁５ｇは、図４に示すように、平面視で外側（側外方）に膨出した膨出部５ｉと、平面視で内側に陥入した陥入部５ｊとを有している。これら膨出部５ｉと陥入部５ｊとを含む凹凸形状によって、周壁５ｇの剛性が高められている。また、係止爪５ｈは、図５に示すように、周壁５ｇの無い切欠部５ｋに設けられ、一定幅でＳ字状に外側に向けて突出している。図４に示すように、矩形状の底壁５ｆの各辺には、複数の係止爪５ｈが相互に間隔をあけて設けられている。
【００１７】
また、キーボード５の周縁部には、ねじ（図示せず）や帯状部材１０に設けられた突起１０ｄ，１０ｅ（図９〜１２等参照）を挿通する切欠５ｍ（図５参照）や、貫通孔５ｎ，５ｐ（図４参照）が設けられている。キーボード５は、切欠５ｍを挿通したねじによって、第一の本体部２の筐体２ａに固定される。また、円形状の貫通孔５ｎやスリット状の貫通孔５ｐには、帯状部材１０の突起１０ｄ，１０ｅが挿通される。
【００１８】
また、キーボード５を覆うキーボードカバー９が不透明であった場合にも、図４，５に示すように、キーボード５のキー５ｅの表面５ａには、キー５ｅによって入力される文字やキー５ｅの機能等を示す文字や記号が記載されるのが好適である。これにより、キーボードカバー９が外れた状態でも、使用することができる。
【００１９】
図６〜８に示されるキーボードカバー９は、可撓性かつ弾性を有した材料（例えば、合成樹脂材料やエラストマ等）で構成され、所定の厚さを有し、平面視では矩形状で、キーボード５の表面５ａ（図４，５参照）を全体的に覆っている。よって、ユーザがキーボード５上で液体や粉体等をこぼしたような場合にあっても、キーボードカバー９により、それら液体や粉体等がキーボード５内に浸入するのを抑制することができる。また、キーボードカバー９は、各キー５ｅを覆うキャップ部９ｃを有している。各キー５ｅに対応してキャップ部９ｃが設けられることで、キーボードカバー９がキーボード５に対してずれにくくなる。また、図８に示すように、キーボードカバー９の裏面９ｄ側には、相互に隣接するキャップ部９ｃ間の隔壁９ｅを部分的に切り欠く切欠９ｆが設けられている。この切欠９ｆにより、キーボードカバー９の柔軟性が高められ、キー５ｅの突没に対する追従性が高められている。
【００２０】
また、図６，７に示すように、キーボードカバー９の外縁９ｇには、キーボード５の周壁５ｇの切欠部５ｋに対応する位置に、平面視で外側（側外方）に向けて舌片状に突出した複数の引掛部９ｈが設けられている。各引掛部９ｈには、キーボード５の係止爪５ｈが挿入されるスリット状の貫通孔９ｉが設けられている。複数の係止爪５ｈのそれぞれが、対応する引掛部９ｈに設けられた貫通孔９ｉに挿通されることにより、引掛部９ｈが係止爪５ｈに引っ掛けられる。本実施形態では、係止爪５ｈが第一の係止部に相当する。
【００２１】
また、図６に示すように、キーボードカバー９の外縁９ｇは、キーボード５の周壁５ｇの内縁５ｑに沿っている。すなわち、周壁５ｇは、キーボードカバー９の外周縁部９ｂを取り囲んでいる。よって、キーボード５の周壁５ｇは、キーボードカバー９の位置決め機能とともに、キーボードカバー９の平面視で外側（側外方）へのずれを抑制するずれ抑制機能を有している。また、周壁５ｇは、上述したように凹凸形状を有し、キーボードカバー９の外縁９ｇは、この凹凸形状に対応する凹凸形状を有している。したがって、キーボード５の周壁５ｇは、キーボードカバー９の、外周縁部９ｂに沿う方向（キーボード５の外周縁部５ｂおよび凹部２ｄの内周縁部２ｊに沿う方向）へのずれを抑制するずれ抑制機能も有している。本実施形態では、周壁５ｇが、壁部に相当する。
【００２２】
図９〜１２等に示すように、帯状部材１０（１０Ａ〜１０Ｄ）は、それぞれ、細長い帯板状の天壁１０ｆを有している。天壁１０ｆの表面１０ｇは、図１に示すように、第一の本体部２の筐体２ａの表面２ｂ側に露出し、当該表面２ｂと連なって配置される。また、図９〜１２等に示すように、天壁１０ｆの裏面１０ｃには、複数の突起１０ｄ，１０ｅ，１０ｈが設けられている。
【００２３】
本実施形態では、各帯状部材１０（１０Ａ〜１０Ｄ）の裏面１０ｃには、帯状部材１０の幅方向一方側に寄せて設けられた突起１０ｄおよび爪１０ｂと、帯状部材１０の幅方向他方側に寄せて設けられた突起１０ｄおよび爪１０ｂとが、長手方向に沿って交互に配置されている。このような構成により、幅方向の一方側から帯状部材１０を取り外す力が作用した場合、ならびに幅方向の他方側から帯状部材１０を取り外す力が作用した場合の双方について、帯状部材１０が第一の本体部２（の筐体２ａ）から外れにくい領域を、帯状部材１０に、その長手方向に沿って効率良く（すなわち、比較的少ない数の突起１０ｄおよび爪１０ｂによって）設けることができる。
【００２４】
そして、上述したように、二つの帯状部材１０が隣接する部分では、一方の帯状部材１０の端部１０ａが他方の帯状部材１０の端部１０ａを覆っている。すなわち、他方の帯状部材１０の端部１０ａが一方の帯状部材１０の端部１０ａの裏側に配置されて、他方の帯状部材１０の端部１０ａが一方の帯状部材１０の端部１０ａに係合することで、他方の帯状部材１０が表側に移動すること、すなわち、第一の本体部２（の筐体２ａ）から外れることが、抑制されている。
【００２５】
具体的には、図１３に示すように、第一の帯状部材１０Ａと第二の帯状部材１０Ｂとが隣接する部分では、第一の帯状部材１０Ａの端部１０ａに、第二の帯状部材１０Ｂの端部１０ａの裏側に突出するフック状の係合部１０ｉが設けられている。これにより、第一の帯状部材１０Ａが上方へ移動しようとした場合にあっても、係合部１０ｉが第二の帯状部材１０Ｂの端部１０ａに係合することで、第一の帯状部材１０Ａが第一の本体部２の筐体２ａから外れるのが抑制される。さらに、本実施形態では、第二の帯状部材１０Ｂの端部１０ａに、第一の本体部２の筐体２ａに係合する突起１０ｄおよび爪１０ｂが設けられているため、第二の帯状部材１０Ｂの端部１０ａがより強固に保持され、第一の帯状部材１０Ａが外れるのを抑制する効果をより高めることができる。
【００２６】
また、図１４に示すように、第一の帯状部材１０Ａと第三の帯状部材１０Ｃとが隣接する部分では、第一の帯状部材１０Ａの端部１０ａに、第三の帯状部材１０Ｃの端部１０ａの裏側に突出するフック状の係合部１０ｉが設けられている。これにより、第一の帯状部材１０Ａが上方へ移動しようとした場合にあっても、係合部１０ｉが第三の帯状部材１０Ｃの端部１０ａに係合することで、第一の帯状部材１０Ａが第一の本体部２の筐体２ａから外れるのが抑制される。さらに、第三の帯状部材１０Ｃの端部１０ａにも、第一の本体部２の筐体２ａに係合する突起１０ｄおよび爪１０ｂが設けられているため、第三の帯状部材１０Ｃの端部１０ａがより強固に保持され、第一の帯状部材１０Ａが外れるのを抑制する効果をより高めることができる。すなわち、本実施形態では、奥行き方向手前側に位置した第一の帯状部材１０Ａの長手方向両側の端部１０ａに、係合部１０ｉが設けられている。
【００２７】
また、図１５に示すように、第二の帯状部材１０Ｂと第四の帯状部材１０Ｄとが隣接する部分では、第二の帯状部材１０Ｂの端部１０ａに、第四の帯状部材１０Ｄの端部１０ａの裏側に突出するフック状の係合部１０ｉが設けられている。これにより、第二の帯状部材１０Ｂが上方へ移動しようとした場合にあっても、係合部１０ｉが第四の帯状部材１０Ｄの端部１０ａに係合することで、第二の帯状部材１０Ｂが第一の本体部２の筐体２ａから外れるのが抑制される。さらに、第四の帯状部材１０Ｄの端部１０ａにも、第一の本体部２の筐体２ａに係合する突起１０ｄおよび爪１０ｂが設けられているため、第四の帯状部材１０Ｄの端部１０ａがより強固に保持され、第二の帯状部材１０Ｂが外れるのを抑制する効果をより高めることができる。また、図示しないが、第三の帯状部材１０Ｃと第四の帯状部材１０Ｄとが隣接する部分では、図１５と同様の構成によって、第三の帯状部材１０Ｃの係合部１０ｉが第四の帯状部材１０Ｄの端部１０ａに係合し、第三の帯状部材１０Ｃが第一の本体部２の筐体２ａから外れるのが抑制される。すなわち、本実施形態では、第一の本体部２の幅方向の両側に位置した第二および第三の帯状部材１０Ｂ，１０Ｃの奥行き方向奥側の端部１０ａに、係合部１０ｉが設けられており、奥行き方向奥側に位置した第四の帯状部材１０Ｄの長手方向両側の端部１０ａが、第二および第三の帯状部材１０Ｂ，１０Ｃの係合部１０ｉを覆っている。
【００２８】
また、図１６に示すように、第三の帯状部材１０Ｃを取り外した状態では、当該第三の帯状部材１０Ｃに対応する凹溝部２ｉの底部には、キーボード５のベース５ｃの周壁５ｇが現れる。第三の帯状部材１０Ｃが第一の本体部２の筐体２ａに装着された状態では、第三の帯状部材１０Ｃの裏面１０ｃは、この周壁５ｇと、筐体２ａの凹部２ｄ（開口部２ｇ）の内周縁部２ｊ（段差部２ｈ）とに当接する。すなわち、本実施形態では、第三の帯状部材１０Ｃは、相対的に第三の帯状部材１０Ｃの幅方向の一方側（凹部２ｄの中心側、図１６では左側）に位置したキーボード５の周壁５ｇと、相対的に第三の帯状部材１０Ｃの幅方向の他方側（凹部２ｄの開口部２ｇ側、図１６では右側）に位置した筐体２ａの段差部２ｈと、によって支持される。したがって、本実施形態によれば、第三の帯状部材１０Ｃが、幅方向に離間した二箇所、すなわち、周壁５ｇおよび段差部２ｈによって支持されるため、幅方向に沿って一箇所だけで支持された場合に比べて、第三の帯状部材１０Ｃをより安定的に支持することができる。なお、図示しないが、他の帯状部材１０Ａ，１０Ｂ，１０Ｄも、この第三の帯状部材１０Ｃと同様に、キーボード５の周壁５ｇと第一の本体部２の段差部２ｈとで支持される。
【００２９】
また、帯状部材１０が段差部２ｈと周壁５ｇとに支持された状態で、帯状部材１０の裏面１０ｃが、キーボードカバー９の外周縁部９ｂの表面９ａに接触する。このような構成により、帯状部材１０は、キーボードカバー９がずれるのを抑制することができる。
【００３０】
また、本実施形態では、図１７，６に示すように、キーボードカバー９の外周縁部９ｂには、二つの引掛部９ｈの間となる位置に、スリット状の貫通孔９ｉが設けられている。この貫通孔９ｉには、帯状部材１０（図１７の例では第一の帯状部材１０Ａ）に設けられた突起１０ｅ（図１８，１９参照）が挿入される。また、キーボード５の底壁５ｆの外周縁部５ｂの、貫通孔９ｉと重なり合う位置には、スリット状の貫通孔５ｐ（図４参照）が設けられており、貫通孔９ｉを貫通した突起１０ｅは、貫通孔５ｐに挿通される。このような構成により、キーボードカバー９が、二つの引掛部９ｈの間となる位置で、帯状部材１０に設けられた突起１０ｅに係止されるため、キーボードカバー９のずれがより一層抑制されやすくなる。さらに、突起１０ｅは、キーボード５の底壁５ｆにも係合されるため、このような構成によれば、キーボード５に対する帯状部材１０のずれも抑制されやすくなる。本実施形態では、突起１０ｅが、第二の係止部に相当する。
【００３１】
以上の本実施形態では、電子機器１が、表面２ｂに開口部２ｇが設けられた筐体２ａと、開口部２ｇ内に位置され、複数のキー５ｅを有する入力受付部としてのキーボード５と、可撓性を有し、キーボード５を覆ったカバーとしてのキーボードカバー９と、キーボードカバー９の外周縁部９ｂを覆い、開口部２ｇの内周縁部２ｊに沿って筐体２ａに取り付けられた固定部材としての帯状部材１０と、を備えた。よって、帯状部材１０によって、キーボードカバー９の浮きやずれを抑制することができる。
【００３２】
以上、本発明の好適な実施形態について説明したが、本発明は上記実施形態には限定されず、種々の変形が可能である。例えば、上記各実施形態では、本発明にかかる電子機器が、ノート型のパーソナルコンピュータとして実施された構成を例示したが、本発明にかかる電子機器は、上述した所謂ノート型のパーソナルコンピュータ以外の、入力受付部を有した電子機器（例えば、ＰＤＡ（Personal Digital Assistant）、スマートブック、スマートフォン、携帯電話端末等）として実施することも可能である。
【００３３】
また、帯状部材（固定部材）の端部同士の係合構造は、上記実施形態には限定されず、例えば、相互に隣接する帯状部材の一方には表側に切欠が設けられ、他方には裏側に切欠が設けられて、相互に係合する構成とすることができる。また、電子機器や、筐体、入力受付部、キーボード、カバー、キーボードカバー、凹部、開口部、外周縁部、内周縁部、固定部材、帯状部材、端部、係合部、突起、爪、壁部、周壁、凹凸形状、膨出部、陥入部、第一の係止部、係止爪、引掛部、第二の係止部、突起、等のスペック（動作方式や、構造、形状、材質、大きさ、長さ、幅、厚さ、数、配置、位置等）は、適宜変更して実施することができる。
【００３４】
本発明の実施形態および変形例によれば、キーボードカバーの浮きやずれ等を抑制しやすい電子機器を得ることができる。
【符号の説明】
【００３５】
１…電子機器、２ａ…筐体、２ｂ…表面、２ｄ…凹部、２ｇ…開口部、２ｈ…段差部、２ｊ…内周縁部、５…キーボード（入力受付部）、５ａ…表面、５ｂ…外周縁部、５ｇ…周壁（壁部）、５ｈ…係止爪（第一の係止部）、５ｉ…膨出部（凹凸形状）、５ｊ…陥入部（凹凸形状）、９…キーボードカバー（カバー）、９ａ…表面、９ｂ…外周縁部、１０Ａ〜１０Ｄ（１０）…帯状部材、１０ａ…端部、１０ｂ…爪、１０ｃ…裏面、１０ｅ…突起（第二の係止部）、１０ｉ…係合部。
【図１】
2012053611.tif 000003
【図２】
2012053611.tif 000004
【図３】
2012053611.tif 000005
【図４】
2012053611.tif 000006
【図５】
2012053611.tif 000007
【図６】
2012053611.tif 000008
【図７】
2012053611.tif 000009
【図８】
2012053611.tif 000010
【図９】
2012053611.tif 000011
【図１０】
2012053611.tif 000012
【図１１】
2012053611.tif 000013
【図１２】
2012053611.tif 000014
【図１３】
2012053611.tif 000015
【図１４】
2012053611.tif 000016
【図１５】
2012053611.tif 000017
【図１６】
2012053611.tif 000018
【図１７】
2012053611.tif 000019
【図１８】
2012053611.tif 000020
【図１９】
2012053611.tif 000021
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
表面に、当該表面に対する平面視で矩形状の凹部が設けられた筐体と、
前記凹部内に収容された前記平面視で矩形状のキーボードと、
可撓性を有し前記キーボードの表面側を全体的に覆ったキーボードカバーと、
前記キーボードおよび前記キーボードカバーの外周縁部を覆った状態で前記凹部の内周縁部に沿って配置され、前記筐体に取り付けられた複数の帯状部材と、
を備え、
少なくとも一つの前記帯状部材の長手方向の端部に、他の前記帯状部材の長手方向の端部の裏側に配置された係合部が設けられたことを特徴とする電子機器。
【請求項２】
前記キーボードおよび前記キーボードカバーは、前記平面視で、前記筐体の幅方向に沿う二つの外周縁部と、前記筐体の奥行方向に沿う二つの外周縁部とを有した矩形状に形成され、
前記キーボードおよび前記キーボードカバーの前記奥行方向手前側の外周縁部を覆った前記帯状部材の長手方向両端部に、前記係合部が設けられたことを特徴とする請求項１に記載の電子機器。
【請求項３】
前記キーボードおよび前記キーボードカバーの前記奥行方向奥側の外周縁部を覆った前記帯状部材の長手方向両端部が、前記キーボードおよび前記キーボードカバーの幅方向両側の外周縁部のそれぞれを覆った前記帯状部材の長手方向端部に設けられた前記係合部を、覆ったことを特徴とする請求項２に記載の電子機器。
【請求項４】
前記帯状部材は、前記筐体に係止された複数の爪を有し、
前記帯状部材の長手方向に沿った少なくとも一部の区間では、前記帯状部材の幅方向の一方側に設けられた前記爪と他方側に設けられた前記爪とが、前記帯状部材の長手方向に沿って交互に配置されたことを特徴とする請求項１〜３のうちいずれか一つに記載の電子機器。
【請求項５】
前記キーボードは、前記筐体の表面の法線方向に向けて突出して前記キーボードの外周縁部に沿って延びた壁部を有し、
前記帯状部材が、前記筐体の前記凹部の内周縁部と前記壁部とに支持されたことを特徴とする請求項１〜４のうちいずれか一つに記載の電子機器。
【請求項６】
前記壁部が、前記キーボードカバーの外周縁部を取り囲んだことを特徴とする請求項５に記載の電子機器。
【請求項７】
前記壁部が、前記キーボードの内側に向けて陥入するかあるいは外側に向けて膨出する凹凸形状を有したことを特徴とする請求項５または６に記載の電子機器。
【請求項８】
前記帯状部材の裏面が、前記キーボードカバーの外周縁部の表面に接触したことを特徴とする請求項５〜７のうちいずれか一つに記載の電子機器。
【請求項９】
前記キーボードが、当該キーボードの外周縁部に沿って配置され前記キーボードカバーを係止する複数の第一の係止部を有し、
前記帯状部材が、前記複数の第一の係止部の間となる位置で前記キーボードカバーを係止する第二の係止部を有したことを特徴とする請求項１〜８のうちいずれか一つに記載の電子機器。
【請求項１０】
四辺を有した矩形状の開口部が設けられた筐体と、
前記開口部に位置され、複数のキーが設けられた入力受付部と、
可撓性を有し、前記入力受付部を覆ったカバーと、
前記四辺のそれぞれに沿って前記カバーの外周縁部を覆い、前記開口部の内周縁部に沿って前記筐体に取り付けられた四つの固定部材と、
を備えた電子機器。
【請求項１１】
表面に開口部が設けられた筐体と、
前記開口部に位置され、複数のキーが設けられた入力受付部と、
周縁部に前記入力受付部に引掛けられる引掛け部を有し、前記入力受付部を覆ったカバーと、
前記カバーの外周縁部に沿って前記引掛け部を覆うとともに、前記開口部の内周縁部に沿って前記筐体に取り付けられた固定部材と、
を備えた電子機器。